(57)【要約】      （修正有）【課題】単色画像の形成動作とカラー画像の形成動作とを繰り返す際に画像の中間転写ベルトへの転写位置がずれることに伴う画質の低下を防止することにある。【解決手段】画像形成装置に用いられ、複数の感光体ドラム２１に担持される画像を用紙に転写するための転写装置７であって、中間転写ベルト７１と、駆動ローラ７２と、第１支持ローラ７６１と、第１支持ローラ回動機構とを備えている。第１支持ローラ回動機構は、中間転写ベルト７１における第１支持ローラ７６１が並べられた方向の一端に配置された第１支持ローラ７６１以外の第１支持ローラ７６１によって支持される部分が感光体ドラム２１から離れるように、第１支持ローラ７６１が並べられた方向の一端に配置された第１支持ローラ７６１の回転軸と同軸状に設けられた回動軸７６４ａを中心として他の第１支持ローラ７６１を回動させる機構である。【選択図】図１
2008298836.tif 000002
【特許請求の範囲】
【請求項１】
画像形成装置に用いられ、複数の像担持体に担持される画像を用紙に転写するための転写装置であって、
前記像担持体から画像が転写される転写ベルトと、
前記転写ベルトを循環させる駆動部材と、
前記転写ベルトを支持し、前記像担持体に対応する複数の第１支持ローラと、
前記転写ベルトにおける前記第１支持ローラが並べられた方向の一端に配置された前記第１支持ローラ以外の前記第１支持ローラによって支持される部分が前記像担持体から離れるように、前記第１支持ローラが並べられた方向の一端に配置された前記第１支持ローラの回転軸と同軸状に設けられた回動軸を中心として他の前記第１支持ローラを回動させる第１支持ローラ回動機構と、
を備えた転写装置。
【請求項２】
前記複数の第１支持ローラを回転自在に支持し、一方向に延びる支持部材をさらに備え、
前記第１支持ローラ回動機構は、前記回動軸を中心として前記支持部材を回動させることで前記第１支持ローラを回動させる、
請求項１に記載の転写装置。
【請求項３】
前記一端に配置された第１支持ローラの前記転写ベルトの進入方向後ろ側に配置され、前記転写ベルトが前記像担持体が並べられた方向に対して平行になるように前記転写ベルトを支持する固定ローラをさらに備えた、
請求項１又は２に記載の転写装置。
【請求項４】
前記第１支持ローラの並べられた方向の他端に配置された前記第１支持ローラの前記転写ベルトの進入方向後ろ側に配置され、前記転写ベルトが前記像担持体が並べられた方向に対して平行になるように前記転写ベルトを支持する第２支持ローラをさらに備え、
前記第２支持ローラは、前記支持部材によって回転自在に支持される、
請求項２又は３に記載の転写装置。
【請求項５】
前記一端に配置された第１支持ローラに対向する前記像担持体は、単色画像を形成する際に画像を担持する、請求項１から４のいずれかに記載の転写装置。
【請求項６】
画像情報に基づいて静電潜像が形成される像担持体と、
前記像担持体に現像剤を供給する現像装置と、
請求項１から５のいずれかに記載の転写装置と、
を備えた画像形成装置。
【発明の詳細な説明】
【技術分野】
【０００１】
本発明は、転写装置及び画像形成装置、特に、画像形成装置に用いられ、複数の像担持体に担持される画像を用紙に転写するための転写装置及びその転写装置を備えた画像形成装置に関する。
【背景技術】
【０００２】
画像形成装置は、画像情報に基づいて画像を用紙に形成可能な画像形成部と、画像形成部に用紙を搬送する用紙搬送部と、用紙を収納する用紙収納部と、画像が形成された用紙を排出可能な排出部と、を備えている。この画像形成装置では、用紙収納部から用紙搬送部によって用紙が画像形成部に搬送される。そして、画像情報に基づき用紙に画像が形成され、排出部から外部に画像が形成された用紙が排出される。
【０００３】
この画像形成部では、表面に画像情報に基づいて静電潜像が形成される静電潜像担持体と、静電潜像担持体に現像剤を供給する現像装置と、静電潜像担持体上に形成された画像を用紙に転写するための中間転写ベルトとを備えている。この画像形成部では、静電潜像担持体上に画像情報に基づいて静電潜像が形成され、現像装置から静電潜像担持体に現像剤が供給される。このようにして静電潜像担持体上に現像剤画像が形成された後、中間転写ベルトによって用紙に現像剤画像が転写される。
【０００４】
ここで、画像形成装置には単色の画像に加えてカラー画像を形成可能な装置がある。単色の画像及びカラー画像を形成可能な画像形成装置には、複数の静電潜像担持体を有するものがあり、これを一列に並べて配置しているものがある。このような装置では、複数の静電潜像担持体の下側に中間転写ベルトが配置されており、中間転写ベルトを静電潜像担持体に接触させるために複数の押圧ローラを有している。
【０００５】
ここで、このような画像形成装置には、単色の画像形成時に用いられる１つの押圧ローラ以外の押圧ローラが板状のフレームに取り付けられており、この押圧ローラの両側方に上記静電潜像担持体が並べられた方向に平行になるように中間転写ベルトを支持する支持ローラが配置されているものがある（特許文献１参照）。このような画像形成装置では、カラー画像を形成する際にはすべての押圧ローラで中間転写ベルトを複数の静電潜像担持体に接触させ、単色の画像形成時には回動支点を中心にフレーム全体を回動させ、１つの押圧ローラのみが中間転写ベルトを１つの静電潜像担持体に接触させる。
【特許文献１】特開２００５−６２６４２号公報
【発明の開示】
【発明が解決しようとする課題】
【０００６】
特許文献１に記載の画像形成装置では、１つのフレームを回動させることで１つの押圧ローラ以外の押圧ローラを移動させるために、カラー画像形成動作と単色画像の形成動作を繰り返すことで単色画像を担持する静電潜像担持体に対応する支持ローラと、他のカラー画像を担持する静電潜像担持体に対応する支持ローラとの間の距離が変化しやすくなっている。このために、カラー画像を形成する際に静電潜像担持体から中間転写ベルトへの画像の転写位置がずれやすく、画質が低下するおそれがある。
【０００７】
本発明の課題は、単色画像の形成動作とカラー画像の形成動作とを繰り返す際に画像の中間転写ベルトへの転写位置がずれることに伴う画質の低下を防止することにある。
【課題を解決するための手段】
【０００８】
請求項１に係る転写装置は、画像形成装置に用いられ、複数の像担持体に担持される画像を用紙に転写するための転写装置であって、転写ベルトと、駆動部材と、第１支持ローラと、第１支持ローラ回動機構とを備えている。転写ベルトは、像担持体から画像が転写される。駆動部材は、転写ベルトを循環させる部材である。複数の第１支持ローラは、転写ベルトを支持し、像担持体に対応する１列に並べて配置されている。第１支持ローラ回動機構は、転写ベルトにおける第１支持ローラが並べられた方向の一端に配置された第１支持ローラ以外の第１支持ローラによって支持される部分が像担持体から離れるように、第１支持ローラが並べられた方向の一端に配置された第１支持ローラの回転軸と同軸状に設けられた回動軸を中心として他の第１支持ローラを回動させる機構である。
【０００９】
この転写装置では、カラー画像を形成する際には、各第１支持ローラが各像担持体に対向する位置で転写ベルトを支持しており、各像担持体によって担持された画像を転写ベルトに転写する。一方、単色画像を形成する際には一端に配置された第１支持ローラを中心として一端に配置された第１支持ローラ以外の第１支持ローラが回動させられる。この回動に伴って転写ベルトにおける一端に配置された第１支持ローラ以外の第１支持ローラによって支持される部分が像担持体から離れるように移動させられる。
【００１０】
ここでは、一端に配置された第１支持ローラの回転軸と同軸状に設けられた回動軸を中心として他の第１支持ローラが回動させられるために、各第１支持ローラの間の距離が単色画像形成動作及びカラー画像形成動作を繰り返した場合であっても画像の転写ベルトへの転写位置が変化せず、画質の低下を防止できる。
【００１１】
請求項２に係る転写装置は、請求項１に記載の転写装置であって、複数の第１支持ローラを回転自在に支持し、一方向に延びる支持部材をさらに備えている。第１支持ローラ回動機構は、回動軸を中心として支持部材を回動させることで第１支持ローラを回動させる。
【００１２】
ここでは、支持部材を回動させることで第１支持ローラを回動させることができるために、第１支持ローラを回動させやすくなる。また、支持部材に第１支持ローラが支持されているために各第１支持ローラの間の距離が変化せず、単色画像の形成動作を行った後にカラー画像の形成動作を行う場合であっても、像担持体から転写ベルトに転写する際に転写位置がずれにくくなる。
【００１３】
請求項３に係る転写装置は、請求項１又は２に記載の転写装置であって、一端に配置された第１支持ローラの転写ベルトの進入方向後ろ側に配置され、転写ベルトが像担持体が並べられた方向に対して平行になるように転写ベルトを支持する固定ローラをさらに備えている。
【００１４】
ここでは、単色画像を形成する際に像担持体の近傍の転写ベルトが像担持体が並べられた方向に対して平行になるために、カラー画像形成時と単色画像形成時との像担持体から転写ベルトへの転写条件を同じ条件にすることができる。
【００１５】
請求項４に係る転写装置は、請求項２又は３に記載の転写装置であって、第１支持ローラの並べられた方向の他端に配置された第１支持ローラの転写ベルトの進入方向後ろ側に配置され、転写ベルトが像担持体が並べられた方向に対して平行になるように転写ベルトを支持する第２支持ローラをさらに備え、第２支持ローラは、支持部材によって回転自在に支持される。
【００１６】
ここでは、カラー画像を形成する際に、転写ベルトの他端に配置された第１支持ローラの転写ベルトの進入方向後ろ側から一端に配置された第１支持ローラまでの部分を像担持体が並べられた方向と平行にすることができる。このために、各像担持体から転写ベルトに画像を転写する際の条件を同一にそろえることができる。
【００１７】
請求項５に係る転写装置は、請求項１から４のいずれかに記載の転写装置であって、一端に配置された第１支持ローラに対向する像担持体は、単色画像を形成する際に画像を担持する。
【００１８】
この転写装置では、単色画像を形成する際には一端に配置された第１支持ローラに対向する位置に配置された像担持体に画像が形成され、その画像が像担持体から転写ベルトに転写される。
【００１９】
請求項６に係る画像形成装置は、画像情報に基づいて静電潜像が形成される像担持体と、像担持体に現像剤を供給する現像装置と、請求項１から５のいずれかに記載の転写装置とを備えている。
【００２０】
この画像形成装置では、像担持体に静電潜像が形成され、現像装置から現像剤が静電潜像に供給されて現像剤画像が像担持体上に形成される。この現像剤画像が請求項１から５のいずれかに記載の転写装置によって用紙に転写される。
【発明の効果】
【００２１】
本発明では、単色画像の形成動作とカラー画像の形成動作とを繰り返す際に画像の中間転写ベルトへの転写位置がずれることに伴う画質の低下を防止することができる。
【発明を実施するための最良の形態】
【００２２】
１．構成
図１に本発明の一実施形態に係る画像形成装置であるカラープリンタ１を示す。なお、この図１は各構成要素の配置を示すための模式図であり、各部の詳細は省略して示している。なお、図１の矢印Ａは中間転写ベルト７１の循環方向を示している。
【００２３】
このカラープリンタ１は、図示しないコンピュータなどに接続されており、外部のコンピュータなどから送信されてくる画像情報に基づいてカラー画像を用紙に印刷可能な装置である。
【００２４】
このカラープリンタ１は、画像情報に基づいて画像を形成する画像形成部２と、用紙を搬送する用紙搬送部３と、画像形成部２で形成された画像を用紙に定着する定着部４と、用紙を収容する用紙収容部５と、用紙をカラープリンタ１の上部に排出する排出部６と、用紙に画像を転写する転写装置７とを有している。
【００２５】
画像形成部２は、それぞれ異なる色のトナー画像を形成するための４つのトナー画像形成部２ａ，２ｂ，２ｃ，２ｄを有している。４つのトナー画像形成部２ａ〜２ｄは並べて配置されており、図１及び２に示すように、それぞれ、感光体ドラム２１と、現像装置２２と、帯電装置２４と、露光装置２５と、クリーニング装置２６と、トナーコンテナ２７とを有している。ここで、トナー画像形成部２ａはブラックの画像を形成する部分であって、トナー画像形成部２ｂはイエローの画像を形成する部分であり、トナー画像形成部２ｃはシアンの画像を形成する部分であり、トナー画像形成部２ｄはマゼンタの画像を形成する部分である。
【００２６】
感光体ドラム２１は、表面に静電潜像を担持可能であって、トナー像が表面に形成される部材である。各感光体ドラム２１の回転軸は図１の紙面に直交する方向に延びている。
【００２７】
現像装置２２は、感光体ドラム２１にトナーを供給するための装置であって、感光体ドラム２１に隣接して配置されている。現像装置２２は、内部に現像剤を収納する現像剤収納スペース２２１が形成されており、現像ローラ２２２と、マグローラ２２３と、２つの拡散部材２２４と、を有している。この現像ローラ２２２は、感光体ドラム２１に対向するように配置されており、現像剤収納スペース２２１のトナーを感光体ドラム２１に供給するための部材である。マグローラ２２３は、現像ローラ２２２に現像剤収納スペース２２１のトナーを供給するためのローラである。拡散部材２２４は現像剤収納スペース２２１内のトナーを拡散するための部材である。
【００２８】
帯電装置２４は、感光体ドラム２１の表面を帯電させるための装置であって、感光体ドラム２１の下方に感光体ドラム２１に隣接して配置されている。
【００２９】
露光装置２５は、画像情報に基づいて感光体ドラム２１に光を照射する部分であって、感光体ドラム２１の上方でかつ帯電装置２４と現像装置２２の間に光を照射可能な位置に配置されている。具体的には現像装置２２及びトナーコンテナ２７の上方に配置されている。
【００３０】
クリーニング装置２６は、感光体ドラム２１に転写されずに残留したトナーをクリーニングするための装置であって、クリーニングローラ２６１と、クリーニングブレード２６２とを備えている。また、クリーニング装置２６は、感光体ドラム２１の側方に感光体ドラム２１に近接して配置されている。クリーニングローラ２６１は、感光体ドラム２１の表面の転写残トナーを装置の内部に除去する部材であって、感光体ドラム２１の回転軸と平行に配置されている。クリーニングブレード２６２は感光体ドラム２１に近接している。このクリーニングブレード２６２は、クリーニングローラ２６１によって除去されなかった残留トナーを感光体ドラム２１から掻き取り、装置の内部に回収するための部材である。
【００３１】
トナーコンテナ２７は、現像装置２２に供給可能なトナーを収納する部材であって、５つ並べて配置されている。具体的には、図１の左側からマゼンタ、シアン、イエロー、ブラック、ブラックのトナーが収納されている。現像装置２２内のトナーが減少するとトナーコンテナ２７から現像装置２２にトナーが供給される。また、トナーコンテナは、内部にトナーを攪拌するための２つの攪拌部材２７１が配置されている。ここで、ブラックのトナーを収納しているトナーコンテナ２７が図１の一点鎖線で示すように２つ現像装置２２に接続されている。ブラックのトナーを収納するトナーコンテナ２７を２つ配置したのは、ブラックのトナーは単色画像形成動作及びカラー画像形成動作の両方に用いられ、消費量が最も多いためである。
【００３２】
用紙搬送部３は、用紙収容部５の用紙を画像形成部２、定着部４、排出部６の順に搬送する部分であって、搬送ベルト３１を有している。
【００３３】
定着部４は、画像形成部２で用紙に形成された画像を定着する部分であって、加圧ローラ４１と加熱ローラ４２とを有している。
【００３４】
用紙収容部５は、様々な種類の用紙を収容可能な複数の給紙カセット５１を有している。また、用紙収容部５はこのカラープリンタ１の下部に配置されている。
【００３５】
排出部６は、表面に画像が定着した用紙をカラープリンタ１の外部に排出するための部分であって、側部に設けられている。
【００３６】
２．転写装置
転写装置７は、感光体ドラム２１上に形成されたトナー画像を用紙に転写するための装置であって、中間転写ベルト７１（転写ベルト）と、駆動ローラ７２（駆動部材）と、テンションローラ７３と、第１転写ローラ７４と、第２転写ローラ７５と、中間転写ベルト支持機構７６と、中間転写ベルトクリーニング装置７７とを備えている。
【００３７】
中間転写ベルト７１は、各トナー画像形成部２ａ〜２ｄの下側に配置された部材であって、各感光体ドラム２１に接触するように配置されている。また、中間転写ベルト７１は、無端のベルトであって、駆動ローラ７２とテンションローラ７３と第１転写ローラ７４とに掛け渡されている。
【００３８】
駆動ローラ７２は、中間転写ベルト７１を一方向、すなわち図１及び図２の矢印Ａの方向に循環させるためのローラであって、トナー画像形成部２ａの近傍に配置されている。また、駆動ローラ７２は、図示しないモータが接続されており、このモータによって駆動させられる。ここで、図２の矢印Ａは中間転写ベルト７１の循環方向を示す。
【００３９】
テンションローラ７３は、駆動ローラ７２の動力が中間転写ベルト７１を介して伝達されることで回転させられるローラであって、トナー画像形成部２ｄの近傍に配置されている。また、このテンションローラ７３は、スプリング７３ａによって駆動ローラ７２から遠ざかる方向に付勢されており、これにより中間転写ベルト７１に張力を付与している、このために中間転写ベルト７１が張った状態に維持される。なお、具体的には、テンションローラ７３の軸を支持する１対の軸受け（図示せず）がフレームに対して移動自在に支持され、この１対の軸受けがスプリング７３ａによって前述の方向に付勢されている。
【００４０】
第１転写ローラ７４は、中間転写ベルト７１上の画像を用紙に転写するためのローラであって、トナー画像形成部２ｂの下方に配置されている。また、第１転写ローラ７４は中間転写ベルト７１の内周側に配置されている。
【００４１】
第２転写ローラ７５は、中間転写ベルト７１上の画像を用紙に転写するためのローラであって、中間転写ベルト７１を挟んで第１転写ローラ７４に対向する位置に配置されている。
【００４２】
中間転写ベルト支持機構７６は、中間転写ベルト７１が転写時に感光体ドラム２１に近接するように中間転写ベルト７１を支持するための機構であって、４つの第１支持ローラ７６１と、固定ローラ７６２と、第２支持ローラ７６３と、支持部材７６４と、ソレノイドバルブ７６５とを備えている。
【００４３】
第１支持ローラ７６１は、中間転写ベルト７１を挟んで画像形成部２の感光体ドラム２１に対向する対向位置に位置可能であり、対向位置に位置している状態では中間転写ベルト７１が感光体ドラム２１に接触するように中間転写ベルト７１を支持する。また、第１支持ローラ７６１は感光体ドラム２１よりも径の小さなローラである。
【００４４】
固定ローラ７６２は、ブラックの画像を担持可能な感光体ドラム２１、具体的には図１におけるもっとも右側に配置されている感光体ドラム２１に対向する第１支持ローラ７６１の中間転写ベルト７１の循環方向後ろ側に配置されている。また、固定ローラ７６２は、中間転写ベルト７１が感光体ドラム２１が並べられた方向に対して平行になるように中間転写ベルト７１を支持する部材である。
【００４５】
第２ローラ７６３は、マゼンタの画像を担持可能な感光体ドラム２１に対向可能な第１支持ローラ７６１の中間転写ベルト７１の循環方向後ろ側に配置されている。また、第２ローラ７６３は、カラー画像形成時に中間転写ベルト７１の第２支持ローラ７６３が支持している部分からブラックの画像を担持可能な支持ローラ７６１までの部分が感光体ドラム２１が並べられた方向に対して平行になるように中間転写ベルト７１を支持する部材である。さらに、第２支持ローラ７６３は、支持部材７６４に回転自在に支持されている部材である。
【００４６】
支持部材７６４は、一方向に延びる板状の部材であって、第１支持ローラ７６１及び第２支持ローラ７６３を回転自在に支持する板状の部材である。また、支持部材７６４は、第１支持ローラ７６１が並べられた方向の一端に配置された第１支持ローラ７６１、具体的にはブラックの画像を担持可能な感光体ドラム２１に対向する第１支持ローラ７６１の回転軸と同軸状に設けられ、第１支持ローラ７６１の回転軸に相対回転可能な回動軸７６４ａを中心として回動可能な部材であって、感光体ドラム２１の並べられた方向に沿うように延びる部材である。なお、固定ローラ７６２は支持部材７６４に取り付けられておらず、支持部材７６４が回動しても移動しない。
【００４７】
ソレノイドバルブ７６５は、支持部材７６４の一端、すなわち支持部材７６４の回動軸７６４ａが配置されている側端部の逆側端部に設けられている。より詳細には、ソレノイドバルブ７６５のロッドの先端が支持部材の一端の底面に連結されている。このような構成により、ソレノイドバルブ７６５に通電されていない状態では、ソレノイドバルブ７６５のロッドが突出しており、支持部材７６４はカラー画像形成姿勢（感光体ドラム２１の並べられた方向と支持部材７６４の方向とが平行になっている姿勢）となり、ソレノイドバルブ７６５に通電されたオン状態では、ソレノイドバルブ７６５のロッドが縮退して支持部材７６４は単色画像形成姿勢（ブラックの画像を担持可能な感光体ドラム２１に対向する第１支持ローラ７６１のみが感光体ドラム２１に近接している姿勢）となる。
【００４８】
中間転写ベルトクリーニング装置７７は、中間転写ベルト７１の表面をクリーニングするための装置であって、一対のベルトクリーニングローラ７７１を有している。
【００４９】
なお、ここで支持ローラ７６１と、支持部材７６４と、ソレノイドバルブ７６５とによって支持ローラ回動機構が構成されている。この支持ローラ回動機構は、ソレノイドバルブ７６５によって支持部材７６４を移動させることで第１支持ローラ７６１を回動させる。
【００５０】
３．動作
カラー画像の形成動作について説明する。
【００５１】
外部のコンピュータ等から画像情報が送信されると、画像情報に基づいて感光体ドラム２１上に静電潜像が形成される。具体的には、感光体ドラム２１の表面が帯電装置２４によって帯電させられ、画像情報に基づいて露光装置２５によって光が照射されることで静電潜像が感光体ドラム２１上に形成される。感光体ドラム２１上に静電潜像が形成されると、現像装置２２からトナーが感光体ドラム２１上に供給される。このとき、図１に示すように、ソレノイドバルブ７６５に通電されており、ロッドが突出している状態である。すなわち、すべての第１支持ローラ７６１が感光体ドラム２１の下側に位置しており、中間転写ベルト７１を支持している。このために、中間転写ベルト７１の第２支持ローラ７６３と第１支持ローラ７６１とによって掛け渡されている部分は感光体ドラム２１が並べられた方向に対して平行になっている。この状態で、感光体ドラム２１から中間転写ベルト７１にトナー画像が転写され、中間転写ベルト７１の循環に伴って第１転写ローラ７４と第２転写ローラ７５とが対向する位置までトナー画像が搬送される。このとき、第１転写ローラ７４と第２転写ローラ７５との間に用紙収容部５の用紙が用紙搬送部３によって搬送される。中間転写ベルト７１上のトナー画像が第１転写ローラ７４及び第２転写ローラ７５によって用紙に転写され、この用紙は用紙搬送部３によって定着部４に搬送される。定着部４でトナー画像が用紙に定着され、排出部６から用紙が排出される。
【００５２】
次に単色の画像、ここではブラックの画像を形成する動作について説明する。
【００５３】
カラー画像の形成動作時と同様に、外部のコンピュータ等から画像情報が送信され、画像情報に基づいてトナー画像形成装部２ｄの感光体ドラム２１上に静電潜像が形成される。感光体ドラム２１上に静電潜像が形成されると、現像装置２２から現像剤が感光体ドラム２１上に供給されトナー画像が形成される。このとき、ソレノイドバルブ７６５がオン状態になりロッドが縮退する。ロッドの縮退によって支持部材７６４が回動軸７６４ａを中心として図１における反時計回りに回動させられ、中間転写ベルト７１がトナー画像形成部２ｂ、２ｃ、２ｄの感光体ドラム２１から離れる。すなわち、図２に示すようにトナー画像形成部２ａの感光体ドラム２１のみが中間転写ベルト７１に接触している状態になる。ここで、固定ローラ７６２によって中間転写ベルト７１の固定ローラ７６２の中間転写ベルト７１への接触部分から支持ローラ７６１の中間転写ベルト７１への接触部分までは感光体ドラム２１が並べられた方向に対して平行になっている。その後、カラー画像形成動作と同様に、画像形成部２ａの感光体ドラム２１から中間転写ベルト７１にトナー画像が転写され、中間転写ベルト７１の循環に伴って第１転写ローラ７４と第２転写ローラ７５とが対向する位置までトナー画像が搬送される。このとき、第１転写ローラ７４と第２転写ローラ７５との間に用紙収容部５の用紙が用紙搬送部３によって搬送される。中間転写ベルト７１上のトナー画像が第１転写ローラ７４及び第２転写ローラ７５によって用紙に転写され、この用紙は用紙搬送部３によって定着部４に搬送される。定着部４でトナー画像が用紙に定着され、排出部６から用紙が排出される。
【００５４】
ここでは、ブラックの画像を担持する感光体ドラム２１に対向する第１支持ローラ７６１の回転軸と同軸状に設けられた回動軸７６４ａを中心として他の第１支持ローラ７６１が回動させられるために、各第１支持ローラ７６１の間の距離が単色画像形成動作及びカラー画像形成動作を繰り返した場合であっても画像の中間転写ベルト７１への転写位置が変化せず、画質の低下を防止できる。また、支持部材７６４を回動させることで第１支持ローラ７６１を回動させることができるために、第１支持ローラ７６１を回動させやすくなる。さらに、支持部材７６４に第１支持ローラ７６１が支持されているために各第１支持ローラ７６１の間の距離が変化せず、単色画像の形成動作を行った後にカラー画像の形成動作を行う場合であっても、感光体ドラム２１から中間転写ベルト７１に転写する際に転写位置がずれにくくなる。さらに、固定ローラ７６２によって単色画像の形成時とカラー画像の形成時とのブラックの画像形成条件を同じ条件にすることができる。そして、第２支持ローラ７６３によってイエローの画像形成条件を他の色の画像形成条件と同じ条件にすることができる。
【００５５】
４．他の実施形態
（ａ）上記実施形態では、ブラックのトナーを収納するトナーコンテナ２７を２つ配置したが、本発明はこれに限らずに、１つ又は３つ以上であっても良い。
【００５６】
（ｂ）また上記実施形態では、カラープリンタ１について説明したが、本発明はこれに限らずに、複写機や複合機などであっても良い。
【００５７】
（ｃ）上記実施形態では、単色画像としてブラックの場合について説明したが、本発明はこれに限らずに、イエロー、シアン、マゼンタのいずれか一つであっても良い。すなわち、現像装置２２の配置は上記実施形態に限られない。
【図面の簡単な説明】
【００５８】
【図１】カラー画像を形成する際のカラープリンタ１の全体概略図。
【図２】単色画像を形成する際のカラープリンタ１の全体概略図。
【符号の説明】
【００５９】
１  カラープリンタ
７  転写装置
２１  感光体ドラム（像担持体）
２２  現像装置
７１  中間転写ベルト（転写ベルト）
７２  駆動ローラ（駆動部材）
７３  テンションローラ（張力付与部材）
７６１  第１支持ローラ
７６２  固定ローラ
７６３  第２支持ローラ
７６４  支持部材
７６４ａ  回動軸
【図１】
2008298836.tif 000003
【図２】
2008298836.tif 000004